(57)【要約】      （修正有）【課題】書類等の収納物の取り出しが極めて容易であるとともに、各種ダイレクトメールをはじめとして新製品等の広告宣伝媒体として機能し得る封筒を提供する。【解決手段】封筒１は、長辺２の一端３ａ側に裏面側に折り返す折返片４を有し、両短辺５に第１施封片６、第２施封片７を設けた角形状の裏片１０と、裏片１０側に折り返された折返片４上に重合されて貼着される角形状の表片８と、を有し、内部に袋状の収納部１２を形成し、収納部１２内に収納物１３を入れた後、第１施封片６により短辺５の一端側を貼着封止するようにした封筒１であって、裏片１０に、第１施封片、第２施封片及び折返片４に沿った切り取りライン部１５と、折返片４側を占める摘み片１６を有し、この摘み片１６を把持して切り取りライン部１５を破りつつ裏片１０領域を長辺２の他端３ｂ側に向けて開封するとともに、見開き面に任意の宣伝広告欄１８を付し、かつ、この宣伝広告欄１８の領域を長辺２の他端３ｂに沿って剥離可能な剥離ライン部１９を有する開封片部１７とを設けた。【選択図】図１
0003130890.tif 000002
【実用新案登録請求の範囲】
【請求項１】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記封筒の両長辺のいずれかの一端側に、開封用の切り取りラインを有する切り取りライン部を設けたとともに、前記両短辺の第１施封片、第２施封片のいずれか一方の近隣部分に、開封用の切り取りラインを有する切り取りライン部を設け、当該いずれの切り取りライン部によっても開封できるようにしたことを特徴とする封筒。
【請求項２】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片及び前記折返片の領域を除く裏片領域を、前記裏片に設けた切り取りライン部を破りつつ開封するようにした摘み片付きの開封片部を設けたことを特徴とする封筒。
【請求項３】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、及び前記折返片に沿った切り取りライン部と、前記折返片に沿った切り取りライン部に摘み片を有し、この摘み片を把持して切り取りライン部を破りつつ裏片領域を前記長辺の他端側に向けて開封するようにした開封片部と、を設けたことを特徴とする封筒。
【請求項４】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、及び前記折返片に沿った切り取りライン部と、前記折返片に沿った切り取りライン部に摘み片を有し、この摘み片を把持して切り取りライン部を破りつつ裏片領域を前記長辺の他端側に向けて開封するようにしたとともに、見開き面に任意の宣伝広告欄を付した開封片部と、を設けたことを特徴とする封筒。
【請求項５】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、及び前記折返片に沿った切り取りライン部と、前記折返片に沿った切り取りライン部に摘み片を有し、この摘み片を把持して切り取りライン部を破りつつ裏片領域を前記長辺の他端側に向けて開封するようにしたとともに、見開き面に任意の宣伝広告欄を付し、かつ、この宣伝広告欄の領域を前記長辺の他端に沿って剥離可能な剥離ライン部を有する開封片部と、を設けたことを特徴とする封筒。
【請求項６】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、及び前記折返片に沿った切り取りライン部と、前記折返片に沿った切り取りライン部に摘み片を有し、この摘み片を把持して切り取りライン部を破りつつ裏片領域を前記長辺の他端側に向けて開封するようにしたとともに、見開き面に任意の宣伝広告欄を付し、かつ、この宣伝広告欄の領域を前記長辺の他端に沿って剥離可能な剥離ライン部を有する開封片部と、を設けるとともに、
前記表片の任意の位置に収納部を透視可能な透明窓を設けたことを特徴とする封筒。
【請求項７】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記長辺の他端側、第１施封片、及び前記折返片に沿った切り取りライン部と、前記第１施封片側に摘み片を有し、この摘み片を把持して切り取りライン部を破りつつ裏片領域を前記短辺の他端側に向けて開封するようにした開封片部と、を設けたことを特徴とする封筒。
【請求項８】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記長辺の他端側、第１施封片、及び前記折返片に沿った切り取りライン部と、前記第１施封片側に摘み片を有し、この摘み片を把持して切り取りライン部を破りつつ裏片領域を前記短辺の他端側に向けて開封するようにしたとともに、見開き面に任意の宣伝広告欄を付した開封片部と、を設けたことを特徴とする封筒。
【請求項９】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記長辺の他端側、第１施封片、及び前記折返片に沿った切り取りライン部と、前記第１施封片側に摘み片を有し、この摘み片を把持して切り取りライン部を破りつつ裏片領域を前記短辺の他端側に向けて開封するようにしたとともに、見開き面に任意の宣伝広告欄を付し、かつ、この宣伝広告欄の領域を前記短辺の他端に沿って剥離可能な剥離ライン部を有する開封片部と、を設けたことを特徴とする封筒。
【請求項１０】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記長辺の他端側、第１施封片、及び前記折返片に沿った切り取りライン部と、前記第１施封片側に摘み片を有し、この摘み片を把持して切り取りライン部を破りつつ裏片領域を前記短辺の他端側に向けて開封するようにしたとともに、見開き面に任意の宣伝広告欄を付し、かつ、この宣伝広告欄の領域を前記短辺の他端に沿って剥離可能な剥離ライン部を有する開封片部と、を設けるとともに、
前記表片の任意の位置に収納部を透視可能な透明窓を設けたことを特徴とする封筒。
【請求項１１】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、前記折返片、及び前記長辺の他端側に沿った切り取りライン部と、前記折返片側及び前記第２施封片側の夫々に各摘み片を有し、これらの摘み片のいずれかを把持して切り取りライン部を破りつつ裏片領域を前記長辺の他端側に向けて又は短辺の他端側に向けて開封するようにした開封片部と、を設けたことを特徴とする封筒。
【請求項１２】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、前記折返片、及び前記長辺の他端側に沿った切り取りライン部と、前記折返片側及び前記第２施封片側の夫々に各摘み片を有し、これらの摘み片のいずれかを把持して切り取りライン部を破りつつ裏片領域を前記長辺の他端側に向けて又は短辺の他端側に向けて開封するようにしたとともに、見開き面に任意の宣伝広告欄を付した開封片部と、を設け、裏片領域を前記長辺の他端側に向けて開封した場合には前記前記長辺の他端側に沿った切り取りライン部から宣伝広告欄を剥離可能とし、裏片領域を短辺の他端側に向けて開封した場合には前記第２施封片に沿った切り取りライン部から宣伝広告欄を剥離可能としたことを特徴とする封筒。
【請求項１３】
長辺の一端側に、裏面側に折り返す折返片を有する角形状の表片と、
前記表片の長辺の他端側に連なる状態で折り返され前記折返片上に重合されて貼着されて、両短辺に第１施封片、第２施封片を設けた角形状の裏片と、
を有し、
前記裏片の第２施封片により短辺の他端側を貼着封止して内部に袋状の収納部を形成するとともに、収納部内に収納物を入れた後、前記第１施封片により短辺の一端側を貼着封止するようにした封筒であって、
前記裏片に、前記第１施封片、第２施封片、前記折返片、及び前記長辺の他端側に沿った切り取りライン部と、前記折返片側及び前記第２施封片側の夫々に各摘み片を有し、これらの摘み片のいずれかを把持して切り取りライン部を破りつつ裏片領域を前記長辺の他端側に向けて又は短辺の他端側に向けて開封するとともに、見開き面に任意の宣伝広告欄を付した開封片部と、を設け、裏片領域を前記長辺の他端側に向けて開封した場合には前記前記長辺の他端側に沿った切り取りライン部から宣伝広告欄を剥離可能とし、裏片領域を短辺の他端側に向けて開封した場合には前記第２施封片に沿った切り取りライン部から宣伝広告欄を剥離可能とし、
前記表片の任意の位置に収納部を透視可能な透明窓を設けたことを特徴とする封筒。
【考案の詳細な説明】
【技術分野】
【０００１】
本考案は、封筒に関し、詳しくは、書類等の取り出しが極めて容易であるとともに、各種ダイレクトメールをはじめとして新製品等の広告宣伝媒体としても有用な新規な封筒に関するものである。
【背景技術】
【０００２】
従来一般的に使用されている封筒は、図１３に示すようなものが殆どである。
すなわち、同図に示す封筒１００は、袋状の封筒本体１０１の一辺に封止片１０２を設け、封筒本体１０１内に書類等の収納物を収納して前記封止片１０２により一辺を施封するとともに、封筒本体１０１の表片に宛名を、裏片に差出人の住所、氏名を記し、更に所要の切手を貼付して宛先に郵送する。この封筒１００を受け取った相手方は前記封止片１０２を剥ぐか鋏等で封止片１０２の部分を切断して書類等の収納物を取り出すようにしている。
【０００３】
しかし、従来の封筒１００の場合、単に封止片１０２の部分の一箇所を剥ぐか切断して収納物を取り出すだけであり、特に封筒１００が大形の形状である場合には封止片１０２の剥ぎ取り又は切断が煩雑であるとともに、空となった封筒１００は格別の用途を有さず、破棄されるだけであった。
【０００４】
特許文献１には、封筒本体の表裏いずれかの面に、両端が封筒本体の一辺に達する破断線を設けた封筒が提案されている。しかしながら、この封筒の場合も、上述した場合と同様、いずれかの一箇所を剥ぐか切断して収納物を取り出すだけのもので、空となった封筒は格別の用途を有さず、破棄されるだけであった。
【特許文献１】特開平４−１４２２５４号公報
【考案の開示】
【考案が解決しようとする課題】
【０００５】
本考案が解決しようとする問題点は、書類等の収納物の取り出しが極めて容易であるとともに、空となった後においても新製品等の広告宣伝媒体として機能し得る封筒が従来存在しない点である。
【課題を解決するための手段】
【０００６】
本考案に係る封筒は、長辺の一端側に、裏面側に折り返す折返片を有する角形状の表片と、前記表片の長辺の他端側に連なる状態で折り返され前記折返片上に重合されて貼着されて、両短辺に第１施封片、第２施封片を設けた角形状の裏片と、を有し、前記裏片の第２施封片により短辺の他端側を貼着封止して内部に袋状の収納部を形成するとともに、収納部内に収納物を入れた後、前記第１施封片により短辺の一端側を貼着封止するようにした封筒であって、前記裏片に、前記第１施封片、第２施封片及び前記折返片の領域を除く裏片領域を、前記裏片に設けた切り取りライン部を破りつつ開封するようにした摘み片付きの開封片部を設けたことを最も主要な特徴とする。
【考案の効果】
【０００７】
請求項１記載の考案によれば、封筒裏片に、前記長辺のいずれかの一端側に、開封用の切り取りラインを有する切り取りライン部を設けたとともに、前記両短辺の第１施封片、第２施封片のいずれか一方の近隣部分に、開封用の切り取りラインを有する切り取りライン部を設けているので、当該いずれの切り取りライン部によっても開封できる封筒を提供することができる。
請求項２記載の考案によれば、収納部内に書類等の収納物が入った状態で開封片部の摘み片を指で把持し、切り取りライン部を破りつつ開封することで、裏片の大部分の領域を大きく開封し、収納部内の書類等の収納物を極めて容易に取り出すことができる封筒を提供することができる。
【０００８】
請求項３記載の考案によれば、収納部内に書類等の収納物が入った状態で開封片部の摘み片を指で把持し、切り取りライン部を破りつつ長辺の他端側に向けて開封することで、裏片の大部分の領域を大きく開封し、収納部内の書類等の収納物を極めて容易に取り出すことができる封筒を提供することができる。
【０００９】
請求項４記載の考案によれば、請求項３記載の考案と同様な効果を奏するとともに、開封片部の見開き面に任意の宣伝広告欄を付したことにより、空となった封筒を宣伝広告媒体として活用できる封筒を提供することができる。
【００１０】
請求項５記載の考案によれば、請求項４記載の考案と同様な効果を奏するとともに、宣伝広告欄の領域を封筒自体から剥離し、壁等に貼って視認することもでき、より宣伝広告機能を発揮させることができる封筒を提供することができる。
【００１１】
請求項６記載の考案によれば、請求項５記載の考案と同様な効果を奏するとともに、透明窓を有することから、受取人は収納部内に入っている書類等の収納物の一部を外部から視認して確認することができる封筒を提供することができる。
【００１２】
請求項７記載の考案によれば、収納部内に書類等の収納物が入った状態で開封片部の摘み片を指で把持し、切り取りライン部を破りつつ短辺の他端側に向けて開封することで、裏片の大部分の領域を大きく開封し、収納部内の書類等の収納物を極めて容易に取り出すことができる封筒を提供することができる。
【００１３】
請求項８記載の考案によれば、請求項７記載の考案と同様な効果を奏するとともに、開封片部の見開き面に任意の宣伝広告欄を付したことにより、空となった封筒を宣伝広告媒体として活用できる封筒を提供することができる。
【００１４】
請求項９記載の考案によれば、請求項８記載の考案と同様な効果を奏するとともに、宣伝広告欄の領域を封筒自体から剥離し、壁等に貼って視認することもでき、より宣伝広告機能を発揮させることができる封筒を提供することができる。
【００１５】
請求項１０記載の考案によれば、請求項９記載の考案と同様な効果を奏するとともに、透明窓を有することから、受取人は収納部内に入っている書類等の収納物の一部を外部から視認して確認することができる封筒を提供することができる。
【００１６】
請求項１１記載の考案によれば、収納部内に書類等の収納物が入った状態で開封片部の摘み片を指で把持し、切り取りライン部を破りつつ前記表片の長辺の他端側に向けて又は短辺の他端側に向けて開封することで、裏片の大部分の領域を大きく開封し、収納部内の書類等の収納物を極めて容易に取り出すことができる封筒を提供することができる。
【００１７】
請求項１２記載の考案によれば、請求項１１記載の考案と同様な効果を奏するとともに、開封片部の見開き面に任意の宣伝広告欄を付したことにより、空となった封筒を宣伝広告媒体として活用できる封筒を提供することができる。
【００１８】
請求項１３記載の考案によれば、請求項１２記載の考案と同様な効果を奏するとともに、透明窓を有することから、受取人は収納部内に入っている書類等の収納物の一部を外部から視認して確認することができる封筒を提供することができる。
【考案を実施するための最良の形態】
【００１９】
本考案は、書類等の収納物の取り出しが極めて容易であるとともに、空となった後においても、各種ダイレクトメールをはじめとして新製品等々の広告宣伝媒体として機能し得る封筒を提供するという目的を、長辺の一端側に裏面側に折り返す折返片を有する表片と、両短辺に第１施封片、第２施封片を設け、前記長辺の他端側に連なる状態で折り返され前記折返片上に重合されて貼着される角形状の裏片と、を有し、前記第２施封片により短辺の他端側を貼着封止して内部に袋状の収納部を形成するとともに、収納部内に収納物を入れた後、前記第１施封片により短辺の一端側を貼着封止するようにした封筒であって、前記裏片に、前記第１施封片、第２施封片、及び前記折返片に沿った切り取りライン部と、前記折返片側を占める摘み片を有し、この摘み片を把持して切り取りライン部を破りつつ裏片領域を前記表片の長辺の他端側に向けて開封するようにしたとともに、見開き面に任意の宣伝広告欄を付し、かつ、この宣伝広告欄の領域を前記長辺の他端に沿って剥離可能な剥離ライン部を有する開封片部と、を設けた構成により実現した。
【実施例】
【００２０】
以下に、本考案の実施例に係る封筒について図面を参照して詳細に説明する。
【００２１】
（実施例１）
本考案の実施例１に係る封筒１について図１乃至図３を参照して説明する。
図１は本実施例１に係る封筒１を裏面側から見た状態を示し、図２は本実施例１に係る封筒１を表面側から見た状態を示している。
【００２２】
本実施例１に係る封筒１は、図１、図２に示すように、全体として例えば縦長の四角形状に形成され、一対の長辺２、２の内のいずれかの一端３ａ側に裏面側に折り返す縦長の折返片４を有し、両短辺５、５の内の一端側の短辺５に横長の第１施封片６を設けているとともに、他端側の短辺５に横長の第２施封片７を設け、前記一対の長辺２、２の内の他端３ｂ側に連なる状態で、前記折返片４上に重合されるような状態の貼着部９（接着剤部：黒塗りで示す）にて貼着される四角形状の裏片１０を有し、この裏片１０と表片８とをもって内部に袋状の収納部１２を形成するとともに、収納部１２内に例えばダイレクトメールのような書類等の収納物１３を入れることができるように構成している。
前記一対の長辺２、２の内の他端３ｂ側に連なる状態で折返片４上に重合されるような状態の貼着部９の近隣部分と、前記両短辺５、５の横長の第１施封片６、第２施封片７の近隣部分との夫々には、後記する各切り取りラインを有する切り取りライン部を設けている。
なお、図１、図２の実施例の変形として、図１と後記する図７の状態を合体した状態の構成（特には図示せず）、すなわち、後記本実施例３に係る封筒１Ｇのように、前記長辺２の他端３ｂ側における貼着部９の近隣部分に開封用の切り取りラインを有する切り取りライン部を設けるとともに、前記両短辺５、５の横長の第１施封片６、第２施封片７のいずれか一方の近隣部分に開封用の切り取りラインを有する切り取りライン部を設けて構成することができる。この場合には、上記いずれの切り取りライン部によっても封筒１を開封することができる。
【００２３】
本実施例１に係る封筒１は、前記裏片１０の第２施封片７により他端側の短辺５を貼着部１１（黒塗りで示す）にて貼着封止して、内部に袋状の収納部１２を形成するとともに、収納部１２内に例えばダイレクトメールのような書類等の収納物１３を入れた後、前記第１施封片６により一端側の短辺５を貼着部１４（黒塗りで示す）にて貼着封止するように構成している。
【００２４】
更に、本実施例１に係る封筒１は、前記裏片１０に、前記第１施封片６、第２施封片７及び前記折返片４に沿った図１において略逆コ状を呈する切り取りライン部１５と、前記折返片４側の中央部を占める摘み片１６を有し、この摘み片１６を把持して切り取りライン部１５を破りつつ裏片領域を前記長辺２の他端３ｂ側に向けて開封する開封片部１７と、を設けている。
【００２５】
前記切り取りライン部１５は、前記第１施封片６に沿ってミシン目状の小穴を直線配置に長辺２の他端３ｂに至るまで連設した第１切り取りライン１５ａと、前記第２施封片７に沿ってミシン目状の小穴を直線配置に長辺２の他端３ｂに至るまで連設した第２切り取りライン１５ｂと、前記折返片４に沿って略クランク状の小寸法の切れ目を小間隔を隔て直線配置に連設した第３切り取りライン１５ｃとを具備し、図１において第３切り取りライン１５ｃの上端を前記第１切り取りライン１５ａの折返片４側の端部に連ね、また、第３切り取りライン１５ｃの下端を前記第２切り取りライン１５ｂの折返片４側の端部に連ねることにより構成している。
【００２６】
更に、第３切り取りライン１５ｃは、前記折返片４側の中央部を占める（開封用の）摘み片１６の部分のみ欠如した構成としている。
【００２７】
次に、上述した本実施例１に係る封筒１の前記開封片部１７による開封態様について図３をも参照して説明する。
【００２８】
本実施例１に係る封筒１において、前記収納部１２内に書類等の収納物１３が入った状態からこの収納物１３を取り出す場合には、図１に示す摘み片１６を指で把持し、図１において右側、すなわち、前記長辺２の他端３ｂ側に向けて開封片部１７を引く。
これにより、まず前記第３切り取りライン１５ｃが破られ、次いで前記第１切り取りライン１５ａ及び第２切り取りライン１５ｂが前記折返片４側から前記長辺２の他端３ｂ側に向けて順に破られて、図３に示すように、前記開封片部１７は、前記長辺２の他端３ｂより右側に展開した状態となり、裏片１０の大部分の領域を大きく開封し、前記収納部１２内の書類等の収納物１３を極めて容易に取り出すことができる。
この場合、前記開封片部１７を図３に示すように大きく開封することなく、前記第３切り取りライン１５ｃの部分を破るだけで、収納部１２内の書類等の収納物１３を取り出すことができることは勿論である。
【００２９】
図４は本実施例１に係る封筒１の変形例である封筒１Ａを示すものであり、この封筒１Ａは、前記封筒１と同様な構成であるが、前記開封片部１７の見開き面（図１に示す状態では開封片部１７の裏面）に任意の商品等の宣伝広告を行なう宣伝広告欄１８を設けたことが特徴である。
【００３０】
この封筒１Ａによれば、前記封筒１の場合と同様な機能を発揮するとともに、既述したようにして前記開封片部１７を開封したとき、開封片部１７の裏面に設けた宣伝広告欄１８が表出し封筒１Ａの受取人に提示されるので、この封筒１Ａを商品等の宣伝広告を行なう宣伝広告媒体として機能させることができる。
【００３１】
図５は更に別の変形例を示すものであり、同図に示す封筒１Ｂは、図４の封筒１Ａの構成に加えて、前記開封片部１７に前記長辺２の他端３ｂに沿って剥離可能なミシン目等のような剥離ライン部１９を設け、宣伝広告欄１８の領域を封筒１Ｂ自体から剥離し得るようにしたことが特徴である。
【００３２】
このこの封筒１Ｂによれば、前記封筒１Ｂの場合と同様な機能を発揮するとともに、前記宣伝広告欄１８の領域を封筒１Ｂ自体から剥離し、これを受取人の好みに応じて壁等に貼り視認することもでき、受取人に対するより効果的な宣伝広告媒体として機能させることができる。
【００３３】
図６は更に他の変形例を示すものであり、同図に示す封筒１Ｃは、図５の封筒１Ｂの構成に加えて、更に前記表片８の任意の箇所に、角形の透明窓２０を設けたことが特徴である。前記透明窓２０は、表片８の一部に角形穴を開け、この部分に透明フィルムを貼り付けることにより形成することができる。
【００３４】
この封筒１Ｃによれば、前記封筒１Ｂの場合と同様な機能を発揮するとともに、透明窓２０を有することから、受取人は前記収納部１２内に入っている書類等の収納物１３の一部を視認して確認することができる利点がある。
【００３５】
前記封筒１Ｃの透明窓２０を設ける構成は、既述した封筒１、１Ａにも各々適用可能であり、封筒１、１Ａに各々透明窓２０を設けた場合においても、それぞれ前記収納部１２内に入っている書類等の収納物１３の一部を外部から視認して確認することができる利点がある。
【００３６】
（実施例２）
次に、本考案の実施例２に係る封筒１Ｄについて図７、図８を参照して説明する。
本実施例２に係る封筒１Ｄにおいて、既述した封筒１と同一の要素には同一の符号を付し、その詳細説明は省略する。
【００３７】
本実施例２に係る封筒１Ｄは、前記開封片部１７の開封方向を前記短辺５のいずれかの他端側に向けて開封するようにしたことが特徴である。
【００３８】
すなわち、本実施例２に係る封筒１Ｄは、裏片１０に、長辺２の他端３ｂ側、第１施封片６及び前記折返片４に沿った切り取りライン部３１を設け、開封片部１７に前記第１施封片６側を占める摘み片３０を設けて、この摘み片３０を把持して切り取りライン部３１を破りつつ裏片１０の領域を前記短辺５の他端側に向けて開封するように構成している。
【００３９】
前記切り取りライン部３１は、裏片１０において、前記長辺２の他端３ｂ側に沿ってミシン目状の小穴を直線配置に前記第１施封片６の近傍から前記前記第２施封片７に至るまで連設した第４切り取りライン３１ａと、前記折返片４に沿ってミシン目状の小穴を直線配置に前記第１施封片６の近傍から前記前記第２施封片７に至るまで連設した第５切り取りライン３１ｂと、前記第１施封片６に沿って略クランク状の小寸法の切れ目を小間隔を隔て直線配置に連設した第６切り取りライン３１ｃと、を具備する略Ｕ状に形成し、これらにより開封片部１７を画するように形成している。
【００４０】
また、前記開封片部１７には、前記第６切り取りライン３１ｃの略中央位置を占める配置で摘み片３０を設けている。
【００４１】
本実施例２に係る封筒１Ｄによれば、前記収納部１２内に書類等の収納物１３が入った状態において、摘み片３０を指で把持し、図７において下側、すなわち、前記短辺５の他端側に向けて開封片部１７を引く。
【００４２】
これにより、まず前記第６切り取りライン３１ｃが破られ、次いで前記第４切り取りライン３１ａ及び第５切り取りライン３１ｂが前記第１施封片６側から第２施封片７側に向けて順に破られて、図８に示すように、前記開封片部１７は、前記短辺５の他端側より下側に展開した状態となり、裏片１０の大部分の領域を大きく開封し、前記収納部１２内の書類等の収納物１３を極めて容易に取り出すことができる。この場合、前記開封片部１７を図８に示すように大きく開封することなく、前記第３切り取りライン１５ａの部分を破るだけで、収納部１２内の書類等の収納物１３を取り出すことができることは勿論である。
【００４３】
図９は、本実施例２に係る封筒１Ｄの変形例である封筒１Ｅを示すものであり、この封筒１Ｅは、前記封筒１Ｄと同様な構成であるが、前記開封片部１７の見開き面（図７に示す状態では開封片部１７の裏面）に任意の商品等の宣伝広告を行なう宣伝広告欄１８を設け、更に、開封片部１７に前記短辺５の他端側に沿って剥離可能なミシン目等のような剥離ライン部３３を設け、宣伝広告欄１８の領域を封筒１Ｅ自体から剥離し得るように構成している。
【００４４】
この封筒１Ｅによれば、前記封筒１Ｄの場合と同様な機能を発揮するとともに、既述したようにして前記開封片部１７を開封したとき、開封片部１７の裏面に設けた宣伝広告欄１８が表出し封筒１Ｅの受取人に提示されるので、この封筒１Ｅを商品等の宣伝広告を行なう宣伝広告媒体として機能させることができる。また、前記剥離ライン部３３を設けたことにより、宣伝広告欄１８の領域を封筒１Ｅ自体から剥離し、これを受取人の好みに応じて壁等に貼り視認することもでき、受取人に対するより効果的な宣伝広告媒体として機能させることができる。
【００４５】
図１０は、更に別の変形例を示すものであり、同図に示す封筒１Ｆは、図９の封筒１Ｅの構成に加えて、更に前記表片８の任意の箇所に角形の透明窓２０を設けたことが特徴である。前記透明窓２０は、表片８の一部に角形穴を開け、この部分に透明フィルムを貼り付けることにより形成することができる。
【００４６】
この封筒１Ｆによれば、前記封筒１Ｅの場合と同様な機能を発揮するとともに、透明窓２０を有することから、受取人は前記収納部１２内に入っている書類等の収納物１３の一部を外部から視認して確認することができる利点がある。
【００４７】
前記封筒１Ｆの透明窓２０を設ける構成は、既述した封筒１Ｄにも適用可能であり、封筒１Ｄに透明窓２０を設けた場合においても、前記収納部１２内に入っている書類等の収納物１３の一部を外部から視認して確認することができる利点がある。
【００４８】
（実施例３）
本考案の実施例３に係る封筒１Ｇについて図１１を参照して説明する。
本実施例３に係る封筒１Ｇにおいて、既述した封筒１と同一の要素には同一の符号を付し、その詳細説明は省略する。
【００４９】
本実施例３に係る封筒１Ｇは、既述した封筒１及び封筒１Ｄの構成を組み合わせ、開封片部１７を前記裏片１０の長辺２の他端３ｂ側に向けて又は前記短辺５の他端側に向けて開封するように構成したことが特徴である。
【００５０】
すなわち、本実施例３に係る封筒１Ｇは、裏片１０に前記第１施封片６、第２施封片７、前記折返片４及び前記長辺２の他端３ｂ側に沿った四角形状の切り取りライン部４１を設けて開封片部１７を画するように構成している。
【００５１】
前記切り取りライン部４１は、裏片１０において、前記長辺２の他端３ｂ側に沿ってミシン目状の小穴を直線配置に前記第１施封片６の近傍から前記前記第２施封片７に至るまで連設した第７切り取りライン４１ａと、前記第２施封片７に沿ってミシン目状の小穴を直線配置に前記折返片４に至るまで連設した第８切り取りライン４１ａと、前記折返片４に沿って略クランク状の小寸法の切れ目を小間隔を隔て直線配置に連設した第９切り取りライン４１ｃと、前記第１施封片６に沿って略クランク状の小寸法の切れ目を小間隔を隔て直線配置に連設した第１０切り取りライン４１ｄと、を具備している。
【００５２】
また、前記開封片部１７には、前記第９切り取りライン４１ｃの略中央位置を占める配置で摘み片４２を設け、前記第１０切り取りライン４１ｄの略中央位置を占める配置で摘み片４３を設けている。
【００５３】
本実施例３に係る封筒１Ｇによれば、前記収納部１２内に書類等の収納物１３が入った状態において、摘み片４２又は摘み片４３のいずれかを指で摘み、開封片部１７を前記長辺２の他端３ｂ側に向けて、又は、前記短辺５の他端側に向けてそれぞれ開封することができる。
【００５４】
前記摘み片４２を使用する場合は、摘み片４２を指で把持し、図１１において右側、すなわち、長辺２の他端３ｂ側に向けて開封片部１７を引く。
【００５５】
これにより、まず前記第９切り取りライン４１ｃが破られ、次いで前記第１０切り取りライン４１ｄ及び第８切り取りライン４１ｂが前記折返片４側から前記長辺２の他端３ｂ側に向けて順に破られて、図１２に示すように、前記開封片部１７は、前記長辺２の他端３ｂより右側に展開した状態となり、裏片１０の大部分の領域を大きく開封し、前記収納部１２内の書類等の収納物１３を極めて容易に取り出すことができる。この場合、前記開封片部１７を図１２に示すように大きく開封することなく、前記第９切り取りライン４１ｃの部分を破るだけで、収納部１２内の書類等の収納物１３を取り出すことができることは勿論である。
【００５６】
一方、前記摘み片４３を使用する場合には、摘み片４３を指で把持し、図１１において下側、すなわち、前記短辺５の他端側に向けて開封片部１７を引く。
【００５７】
これにより、まず前記第１０切り取りライン４１ｄが破られ、次いで前記第７切り取りライン４１ａ及び第９切り取りライン４１ｃが前記第１施封片６側から前記第２施封片７側に向けて順に破られて、図１２に示すように、前記開封片部１７は、前記短辺５の他端側より下側に展開した状態となり、この場合も裏片１０の大部分の領域を大きく開封し、前記収納部１２内の書類等の収納物１３を極めて容易に取り出すことができる。この場合、前記開封片部１７を図１２に示すように大きく開封することなく、前記第１０切り取りライン４１ｄの部分を破るだけで、収納部１２内の書類等の収納物１３を取り出すことができることは勿論である。
【００５８】
本実施例３に係る封筒１Ｇの場合においても、既述した場合と同様、前記開封片部１７の見開き面（図１１に示す状態では開封片部１７の裏面）に図１２に示すように任意の商品等の宣伝広告を行なう宣伝広告欄１８を設け、開封状態において宣伝広告媒体として機能させることができる。
【００５９】
また、長辺２の他端３ｂ側に向けて開封片部１７を開封した場合において、前記第７切り取りライン４１ａから開封片部１７を切り取り、宣伝広告欄１８の領域を封筒１Ｇ自体から剥離状態とすることで、これを受取人の好みに応じて壁等に貼り視認することもでき、受取人に対するより効果的な宣伝広告媒体として機能させることができる。
【００６０】
これと同様に、短辺５の他端側に向けて開封片部１７を開封した場合において、前記第８切り取りライン４１ｂから開封片部１７を切り取り、宣伝広告欄１８の領域を封筒１Ｇ自体から剥離状態とすることで、これを受取人の好みに応じて壁等に貼り視認することもでき、受取人に対するより効果的な宣伝広告媒体として機能させることができる。
【００６１】
更に、本実施例３に係る封筒１Ｇの場合において、前記表片８の任意の箇所に既述した場合と同様な角形の透明窓２０を設けることもでき、これにより、受取人は前記収納部１２内に入っている書類等の収納物１３の一部を外部から視認して確認することができる。
【産業上の利用可能性】
【００６２】
本考案の封筒の構成は、寸法の大小を問わず種々の角形封筒に適用でき、特にＡ４サイズ、Ｂ４サイズ等のダイレクトメール等を収容する大形の封筒に適用して好適である。
【図面の簡単な説明】
【００６３】
【図１】本考案の実施例１に係る封筒の裏面図である。
【図２】本実施例１に係る封筒の表面図である。
【図３】本実施例１に係る封筒の開封片部を開封した状態を示す図である。
【図４】本実施例１に係る封筒の変形例を示す図である。
【図５】本実施例１に係る封筒の別の変形例を示す図である。
【図６】本実施例１に係る封筒の更に他の変形例を示す図である。
【図７】本考案の実施例２に係る封筒の裏面図である。
【図８】本実施例２に係る封筒の開封片部を開封した状態を示す図である。
【図９】本実施例２に係る封筒の変形例を示す図である。
【図１０】本実施例２に係る封筒の別の変形例を示す図である。
【図１１】本実施例３に係る封筒の裏面図である。
【図１２】本実施例３に係る封筒の開封片部を開封した状態を示す図である。
【図１３】従来の封筒の裏面図である。
【符号の説明】
【００６４】
１    封筒
１Ａ  封筒
１Ｂ  封筒
１Ｃ  封筒
１Ｄ  封筒
１Ｅ  封筒
１Ｆ  封筒
１Ｇ  封筒
２    長辺
３ａ  一端
３ｂ  他端
４    折返片
５    短辺
６    第１施封片
７    第２施封片
８    表片
９    貼着部
１０    裏片
１１    貼着部
１２    収納部
１３    収納物
１４    貼着部
１５    切り取りライン部
１５ａ  第１切り取りライン
１５ｂ  第２切り取りライン
１５ｃ  第３切り取りライン
１６    摘み片
１７    開封片部
１８    宣伝広告欄
１９    剥離ライン部
２０    透明窓
３０    摘み片
３１    切り取りライン部
３１ａ  第４切り取りライン
３１ｂ  第５切り取りライン
３１ｃ  第６切り取りライン
３３    剥離ライン部
４１    切り取りライン部
４１ａ  第７切り取りライン
４１ｂ  第８切り取りライン
４１ｃ  第９切り取りライン
４１ｄ  第１０切り取りライン
４２    摘み片
４３    摘み片
【図１】
0003130890.tif 000003
【図２】
0003130890.tif 000004
【図３】
0003130890.tif 000005
【図４】
0003130890.tif 000006
【図５】
0003130890.tif 000007
【図６】
0003130890.tif 000008
【図７】
0003130890.tif 000009
【図８】
0003130890.tif 000010
【図９】
0003130890.tif 000011
【図１０】
0003130890.tif 000012
【図１１】
0003130890.tif 000013
【図１２】
0003130890.tif 000014
【図１３】
0003130890.tif 000015